(57)【要約】【課題】本発明はずれにくいソックスを提供する。【解決手段】足を挿入する開口部Ｓをなす穿口部口編２と、この穿口部口編２から挿入した足の爪先を収容する爪先ポケット３と、踵を被う踵ポケット４と、爪先ポケット３と踵ポケット４との間に編成され、土踏まずを挟む両側を被う側面部１７と、側面部１７同士の間に編成された底面部１８とを有した足部５とを備え、底面部１８には、他の部分の編地よりも伸縮容易に形成された伸縮部６が形成されている。【選択図】図１
2018059226.tif 000002
【特許請求の範囲】
【請求項１】
足を挿入する開口部をなす穿口部口編と、この穿口部口編から挿入した足の爪先を収容する爪先ポケットと、踵を被う踵ポケットと、前記爪先ポケットと前記踵ポケットとの間に編成され、土踏まずを挟む両側を被う側面部と、側面部同士の間に編成された底面部とを有した足部とを備え、
前記底面部には、他の部分の編地よりも伸縮容易に形成された伸縮部が形成されているソックス。
【請求項２】
前記伸縮部が、他の部分の編地よりも高い伸縮性を有する糸を用いて編成されている請求項１に記載のソックス。
【請求項３】
前記伸縮部の周縁には、前記底面部の伸縮を補助する補助開口部が形成されている請求項１又は２に記載のソックス。
【請求項４】
前記補助開口部は、爪先ポケット及び踵ポケット間方向に間隔を空けて複数形成されている請求項３に記載のソックス。
【請求項５】
前記補助開口部は、爪先ポケット及び踵ポケット間方向に延びる長孔に形成されている請求項３又は４に記載のソックス。
【請求項６】
前記底面部はインターシャ編成により形成されている請求項１から５のいずれか一項に記載のソックス。
【請求項７】
最も踵寄りに形成された前記補助開口部の踵側端部から後方に延びるインターシャ編成境目が形成されている請求項３から５のいずれか一項に記載のソックス。
【請求項８】
前記伸縮部が円形又は矩形に形成されている請求項１から７のいずれか一項に記載のソックス。
【請求項９】
前記踵ポケットの内面には、踵が滑るのを防止する滑り止めが形成されている請求項１から８のいずれか一項に記載のソックス。
【請求項１０】
前記穿口部口編は、後方穿口部口編及び前方穿口部口編に分割され、
前記後方穿口部口編と前方穿口部口編との間には、前記足部の一部として前記側面部と前記底面部とを有する延長編地が往復回転で編成され、
この延長編地の前記底面部に前記伸縮部が編成されている請求項１から９のいずれか一項に記載のソックス。
【発明の詳細な説明】
【技術分野】
【０００１】
本発明は、ソックスに関する。
【背景技術】
【０００２】
ファッションとして素足でスニーカー、ローファー等の靴を履いたり、暑さのためストッキングを履かずに素足でパンプスを履いたりすることが行われているが、足裏は汗をかき易く、素足のままでは靴の中が蒸れてしまう。
【０００３】
このため、従来から、足首と足甲の一部が露出するように履き口が大きく開いており、着用時に靴を履いても、靴から食み出さないような浅履き靴下が利用されている。浅履き靴下は、フットカバー、カバーソックス、インナーソックス、ヌードソックス等と称されることもある。
【０００４】
このような浅履き靴下は履き口が大きく開いているため、歩行中の摩擦等によって履き位置がずれたり、踵の部分から脱げてしまったりするという問題がある。一方、履き口を小さくしてしまうと、足甲が大きく開いた靴を履く場合、靴下が靴から食み出してしまう。このような問題を解消するために、幾つかの提案がなされている。
【０００５】
例えば、特許文献１には、フットカバーの踵当接部内面にゴム材等からなる突起状弾性体を取付け、突起状弾性体が滑り止めの役割をして、フットカバーを脱げ難くすることが開示されている。
又は、浅履きソックスでなくとも、踵が靴下にフィットし難い場合歩行中に靴下がずれやすくなるということもある。
【先行技術文献】
【特許文献】
【０００６】
【特許文献１】特開平１０−２９２２０６号公報
【発明の概要】
【発明が解決しようとする課題】
【０００７】
しかし、特許文献１においては、フットカバーを脱げ難くするために突起状弾性体が踵の部分に取り付けられているのみであり、フットカバー本体の伸縮性が十分でないため、やはり歩行時に履き位置がずれたり、踵の部分から脱げてしまったりすることがあった。
そこで、本発明は、着用時にずれ難いソックスを提供する。
【課題を解決するための手段】
【０００８】
本発明のソックスは、足を挿入する開口部をなす穿口部口編と、この穿口部口編から挿入した足の爪先を収容する爪先ポケットと、踵を被う踵ポケットと、前記爪先ポケットと前記踵ポケットとの間に編成され、土踏まずを挟む両側を被う側面部と、側面部同士の間に編成された底面部とを有した足部とを備え、前記底面部には、他の部分の編地よりも伸縮容易に形成された伸縮部が形成されている。
【０００９】
本発明のソックスの前記伸縮部が、他の部分の編地よりも高い伸縮性を有する糸を用いて編成されていてもよい。
【００１０】
本発明のソックスの前記伸縮部の周縁には、前記底面部の伸縮を補助する補助開口部が形成されていてもよい。
【００１１】
本発明のソックスの前記補助開口部は、爪先ポケット及び踵ポケット間方向に間隔を空けて複数形成されていてもよい。
【００１２】
前記補助開口部は、爪先ポケット及び踵ポケット間方向に延びる長孔に形成されていてもよい。
【００１３】
本発明のソックスの前記底面部はインターシャ編成により形成されていてもよい。
【００１４】
本発明のソックスの最も踵寄りに形成された前記補助開口部の踵側端部から後方に延びるインターシャ編成の境目が形成されていてもよい。
【００１５】
本発明のソックスの前記伸縮部が円形又は矩形に形成されていてもよい。
【００１６】
本発明のソックスの前記踵ポケットの内面には、踵が滑るのを防止する滑り止めが形成されていてもよい。
【００１７】
本発明のソックスの前記穿口部口編は、後方穿口部口編及び前方穿口部口編に分割され、前記後方穿口部口編と前方穿口部口編との間には、前記足部の一部として前記側面部と前記底面部とを有する延長編地が往復回転で編成され、この延長編地の前記底面部に前記伸縮部が編成されていてもよい。
【発明の効果】
【００１８】
本発明のソックスは、着用時にずれ難いという効果を奏する。
【図面の簡単な説明】
【００１９】
【図１】本発明の一実施形態に係るソックスを模式的に示した側面図である。
【図２】本発明の一実施形態に係るソックスの展開図である。
【図３】本発明の一実施形態に係るソックスの着用状態を示した側面図である。
【図４】本発明の一実施形態に係るソックスを模式的に示した底面図である。
【発明を実施するための形態】
【００２０】
以下、図面を参照して、本発明の一実施形態であるソックスについて、浅履きソックス（「シューズインタイプソックス」等とも言われる）を例示して説明する。なお、以下の説明で用いる図の各部分の寸法は実際のものと同一とは限らず、適宜変更することができる。また、本明細書において、爪先側又は爪先方向を前側又は前方、踵側又は踵方向を後側又は後方と称し、足の甲側を上側、足底側を下側と称する。
【００２１】
図１及び図２に示すように、本発明のソックス１（以下単に「ソックス１」という）は、足を挿入する開口部Ｓを形成する開口端縁１ａの少なくとも一部をなす穿口部口編２と、穿口部口編２から挿入した足の爪先を収容する爪先ポケット３と、踵を収容する踵ポケット４と、爪先ポケット３と踵ポケット４との間に編成された足部５とを有している。そして、ソックス１は、足部５に他の部分よりも伸縮容易に形成された伸縮部６を有することを特徴としている。
【００２２】
図１及び図３に示すように、穿口部口編２は、編地の端部を袋状にし、ほつれやまくれ上がりを防止し、補強している箇所である。本実施形態の穿口部口編２は、前後方向で分離しており、踵側に位置する後方穿口部口編２ａと爪先側に位置する前方穿口部口編２ｂとに分かれている。開口端縁１ａにおいて、前方穿口部口編２ｂと後方穿口部口編２ａとの間は編地が一重で端縁処理されている。
【００２３】
後方穿口部口編２ａは、着用時に概ね内側のくるぶしから外側のくるぶしに亘って延在して踵の上部側において踵を囲んでフィットするように編成されている。この後方穿口部口編２ａは、ほつれやまくれ上がりを防止するとともに、踵ポケット４が踵からずれ難いように設けられている。
図１及び図２に示すように、後方穿口部口編２ａの下方には、この後方穿口部口編２ａの延在方向に沿って身編地８が編成されている。本実施形態では、後方身編地は数コース分だけ設けられている。
身編地８の下方には踵ポケット４が編成されている。
【００２４】
踵ポケット４は、踵をその両側面、背面及び底面から包み込めるようにした部分である。具体的には、踵ポケット４は、図２に示すように、互いにほぼ平行な上辺１１ｍ及び下辺１１ｎ又は１１ｋを有するとともに上辺１１ｍの長さが同一の大小の第１の台形編地１１Ａ及び第２の台形編地１１Ｂ、第２の台形編地１１Ｂ及び第３の台形編地１１Ｃ、並びに第３の台形編地１１Ｃ及び第４の台形編地１１Ｄを、その上辺１１ｍ，１１ｍ又は下辺１１ｋ，１１ｋを突き合わせて、大−小−小−大と並べた形状に編成された編地１１を用いて形成されている。
【００２５】
踵ポケット４の立体形状は、２つの第２の台形編地１１Ｂ及び第３の台形編地１１Ｃの下辺１１ｋ付近で折り曲げた際に、互いに重なり合う台形の側辺（トラバース端）１２ａ，１２ａ同士を接合させて図１に示すゴアラインＧ１，Ｇ２，Ｇ３形成して設けられている。すなわち、踵ポケット４は、図１及び図３に示すように、後方穿口部口編２ａの両端近傍に位置するゴアラインＧ１の上端を始端として編成され、始端よりも後方かつ下方に編成された領域を構成している。
図１に示すように、踵ポケット４を構成する第１の台形編地１１Ａの内面には、着用時に踵からずれるのを防止する滑り止め３０が形成されている。
【００２６】
前方穿口部口編２ｂは、着用時に足の親指付け根付近から小指の付け根付近に亘って左右方向（すなわち足の幅方向）に延びて爪先ポケット３に足の指を収容させた状態で緩やかにホールドできるようになっている。
【００２７】
爪先ポケット３は、図２に示すように、互いにほぼ平行な上辺１３ｍ及び下辺１３ｎを有する台形編地１３Ａ，１３Ｂの上辺１３ｍを突き合わせた形状に編成された編地１３を上辺１３ｍ部付近で折り畳んだ際に、互いに重なり合う側辺（トラバース端）１４ａ，１４ａ同士を接合させて袋状に設けられ、後述する環状編地１５と縫合されている。すなわち、爪先ポケット３は、図３に示すように環状編地１５との縫合により形成された幅方向の縫製部Ｇ４よりも前方部分の編地３５と、編地３５に対向する足底側の部分の編地３６とにより形成された部分を構成している。
【００２８】
図２及び図３に示すように、爪先ポケット３と踵ポケット４との間には、足部５が編成されている。
本実施形態では、足部５は、前方穿口部口編２ｂと爪先ポケット３との間において環状に編成された環状編地１５と、この環状編地１５と踵ポケット４との間に編成された延長編地１６とにより構成されている。
【００２９】
環状編地１５は、足の甲及び足底を環状に被う部分である。環状編地１５の前後方向の長さは、足の甲おける前方穿口部口編２ｂの位置すなわち足の甲が被われる長さを決定する要素となっている。本実施形態のソックス１は、パンプス等の履き口の大きい靴の着用時であっても、履き口から前方穿口部口編２ｂ又は環状編地１５がはみ出ないように環状編地１５の前後方向の長さを短くとっている。
【００３０】
延長編地１６は、土踏まずを含む足の前後方向中間部を被う部分として編成されており、足の両側面を被う側面部１７，１７と、側面部１７，１７同士の間に編成された底面部１８とを有している。
延長編地１６の底面部１８には、その周囲の編地よりも高い伸縮性を有する伸縮部６が編成されている。
【００３１】
伸縮部６は、図２及び図４に示すように、延長編地１６の前端又は前端近傍から後方に向かって略矩形に編成されている。この伸縮部６は、ソックス１の着用時に、母趾球の直近後方から踵に向かって所定の幅及び前後方向の長さで形成されていることが好ましい。なお、所定の幅及び前後方向の長さとは、ソックス１を着用して踵を上げた際に延長編地１６が延伸するのを十分に吸収し、踵を下した際に延長編地１６が速やかに収縮して足裏にフィットさせ得る寸法である。
【００３２】
伸縮部６の材料としては、高い伸縮性を発揮し得るポリウレタン，糸状ゴム等を芯糸にナイロン，ポリエステル，レーヨン等の長繊維をダブルカバリングしたゴム糸などの高弾性糸が好適に用いられる。
伸縮部６の幅方向両側縁６ｅ，６ｅには、前後方向に延びる長孔形状の補助開口部２０が前後方向に間隔を空けて複数（本実施形態では３つ）形成されている。この補助開口部２０は、延長編地１６の伸縮を補助する補助開口部を構成している。
最も後方に形成された補助開口部２０の後端には、インターシャ境目編成Ｇ５が形成されている。
【００３３】
次に、ソックス１の作製について図２を用いて説明する。
ソックス１は、丸編靴下機によって、概略、後方穿口部口編２ａ，踵ポケット４，踵ポケット４に続いて編成される延長編地１６，前方穿口部口編２ｂ，環状編地１５，爪先ポケット３の順に編成されている。
具体的に、ソックス１は後方穿口部口編２ａから編成を開始する。不図示の丸編機シリンダに挿入されている針の内、踵側の針を総針数の６０〜８０％の範囲で選択し（針数が少なければヒールポケットは小さくなる）丸編機シリンダを往復回転して編成する。
【００３４】
一般の靴下にあっては、穿口部口編２に続いて穿口部口編２と踵ポケット４或いは足部５の環状編地１５との間に適宜コース数の身編地８を十分に編成するが、ソックス１は、身編地８を数コース分作成するのみに止めて、踵ポケット４の編成に移る。
【００３５】
身編地８に続いて、以後のコースは任意のコース毎に編地両端の編み幅を減じて第１の台形編地１１Ａを編成し、その後編み幅を増加し第１の台形編地１１Ａと上辺１１ｍを同じくする第２の台形編地１１Ｂを第１の台形編地１１Ａの下辺１１ｎのコース幅よりも小さくして編成する。
【００３６】
そして、第２の台形編地１１Ｂと下辺１１ｋを同じくして、上辺１１ｍのコース幅を先に編成した第２の台形編地１１Ｂと同じコース幅にした第３の台形編地１１Ｃを編成する。その後更に、第３の台形編地１１Ｃと上辺１１ｍを同じくする第４の台形編地１１Ｄを編成し、下辺１１ｎが一番初めに編成した第１の台形編地１１Ａの下辺１１ｎと同じコース幅になるようにする。
【００３７】
第２の台形編地１１Ｂ、第３の台形編地１１Ｃ及び第４の台形編地１１Ｄのそれぞれの編成時、各台形編地のトラバース端において、適宜コース端部のループに編み掛けすることで袋状の踵ポケット４を形成する。
【００３８】
次いで、延長編地１６の編成に移る。延長編地１６の編み始めコースは、第４の台形編地１１Ｄの下辺１１ｎの最終コースに続いて、それと同一の針で編成される。即ち、第４の台形編地１１Ｄの最終コースの編成が端部まで行われるとシリンダは反転し次コースが同一ウエール数編成される。この反転を繰り返して（すなわち往復回転して）所定コース数編成が行なわれる。この延長編地１６の両端の折り返し部分（耳編部２５）は横編機で編成された編地の両側端の所謂耳編と同様の構成となる。
【００３９】
延長編地１６を編成し始めてしばらくしたところで、底面部１８において延長編地１６を編み始めた際に編成に使用した糸よりも伸縮率が高く伸縮が容易な糸に切り替えて、矩形の伸縮部６を編成する。伸縮部６の幅方向両端には伸縮部６の側縁６ｅ，６ｅに沿って補助開口部２０を形成する。したがって、伸縮部６の編み始めから編み終わりまでは、伸縮部６とその両側で異なる糸を用い、それぞれの編地において往復編成を行う。
【００４０】
なお、耳編部２５を両端に有する延長編地１６のコース数を多くすれば靴下の踵ポケット４から爪先ポケット３先端までの長さを長くすること、即ち開口部Ｓを大きくすることが出来る。
【００４１】
延長編地１６の次に、前方穿口部口編２ｂの編成に移る。前方穿口部口編２ｂの編成は、後方穿口部口編２ａの編成時に使用しなかった残余の４０〜２０％の針を用い、後方穿口部口編２ａの編成と同様に丸編機シリンダーの往復回転により前方穿口部口編２ｂが袋の止め編を構成して編成される。
【００４２】
次に足部５の環状編地１５の編成に移る。環状編地１５は、延長編地１６の最終コースを編成し休止位置にあった針を編成位置に戻し、該針と前方穿口部口編２ｂの最終コースを編成した針、即ち、全針を用いてシリンダを周回転し、筒編を任意コース構成することにより側面部１７を含む甲部と底面部１８とによりなる足部５の編成が行われる。また、足部５に続いて爪先の爪先ポケット３も従来法により続いて編成される。爪先ポケット３の開口部はリンキング等適宜の手段により環状編地１５と縫合されて閉じられる。
【００４３】
以上の構成を有する本発明のソックス１は、足部５の底面部１８に伸縮部６を編成したことから、着用時に踵を上げ下げしても、底面部１８の伸長及び収縮を速やかに吸収してソックス１を足にフィットさせておくことができる。したがって、ソックス１が浅履きのように形成されていてもソックス１が足からずれて脱げてしまうことを有効に防止することができるという効果を奏する。
【００４４】
また、伸縮部６の両側に補助開口部２０が、前後方向に延在し、かつ、複数形成されているため、底面部１８の前後方向の伸縮をより効果的に吸収することができる。また、補助開口部２０は、着用時に左右方向（すなわち足の幅方向）に拡がることができ、足部５の側面部１７の上下動にも対応することができる。
また、ソックス１は、踵ポケット４の内周面に滑り止め３０を有しているため、ソックス１のずれを更に有効に防止することができるという効果を奏する。
【００４５】
また、補助開口部２０の後方にインターシャ編成境目Ｇ５が形成されているため、補助開口部２０の拡大を有効に防止することができる。  
また、ソックス１は、底面部１８を含んで全体がインターシャ編成により形成されているため、伸縮部６の周縁において伸縮を妨げる引っ張りを生じさせることなく伸縮部６を最大限機能させることができるという効果を奏する。
【００４６】
なお、上記の実施形態において、伸縮部６は矩形に形成されたソックス１を例示したが、伸縮部６の形状は円形、楕円形その他の多角形状であってもよい。
また、上記実施形態において、補助開口部２０を３つ形成されたソックス１を例示したが、補助開口部２０の数は、一つ又は３つ以上であってもよい。また更に、補助開口部２０は、伸縮部６の幅方向中間部に形成されていてもよい。
また、ソックス１には、長孔形状の補助開口部２０に代えて前後方向に延びるスリットが形成されていてもよい。
【００４７】
なお、本発明のソックス１は、浅履き用又はシューズインタイプのものに特に効果を発揮するものであるが、それ以外の開口部Ｓが小さく形成された通常のショートソックス又はハイソックスに適用することも可能である。
【符号の説明】
【００４８】
１    ソックス
２    穿口部口編
３    爪先ポケット
４    踵ポケット
５    足部
６    伸縮部
１６  延長編地
１７  側面部
１８  底面部
２０  補助開口部
３０  滑り止め
Ｇ５  ゴアライン
【図１】
2018059226.tif 000003
【図２】
2018059226.tif 000004
【図３】
2018059226.tif 000005
【図４】
2018059226.tif 000006